(57)【要約】【課題】複数敷き並べられて床スラブを構成する木質床版同士を接合する作業手間を低減する。【解決手段】木質の第１床版の端部上面に形成された第１スリットと、前記第１床版と隣り合う木質の第２床版の端部上面に形成された第２スリットと、前記第１床版の上面と前記第２床版の上面とから上端部を突出させて、前記第１スリットから前記第２スリットへ渡って配置された板状の接合部材と、前記接合部材が配置された前記第１スリットと前記第２スリットとに充填される充填材と、前記第１床版と前記第２床版との上に設けられ、前記接合部材の前記上端部が埋設されたトップコンクリート部と、を有する木質床版の接合構造。【選択図】図２
2019015053.tif 000002
【特許請求の範囲】
【請求項１】
木質の第１床版の端部上面に形成された第１スリットと、
前記第１床版と隣り合う木質の第２床版の端部上面に形成された第２スリットと、
前記第１床版の上面と前記第２床版の上面とから上端部を突出させて、前記第１スリットから前記第２スリットへ渡って配置された板状の接合部材と、
前記接合部材が配置された前記第１スリットと前記第２スリットとに充填される充填材と、
前記第１床版と前記第２床版との上に設けられ、前記接合部材の前記上端部が埋設されたトップコンクリート部と、
を有する木質床版の接合構造。
【請求項２】
前記接合部材は、パンチングメタルにより構成されている請求項１に記載の木質床版の接合構造。
【請求項３】
前記接合部材は、平面視にて前記第１床版の端面及び前記第２床版の端面に対して斜めに配置されている請求項１又は２に記載の木質床版の接合構造。
【発明の詳細な説明】
【技術分野】
【０００１】
本発明は、木質床版の接合構造に関する。
【背景技術】
【０００２】
ＣＬＴ（Cross Laminated Timber）床版等の木質床版を複数敷き並べるとともに、木質床版同士をせん断力の伝達可能に接合して床スラブを構成する床構造がある。
【０００３】
例えば、特許文献１には、木製部材を複数敷き並べるとともに、隣り合う木製部材の端面にそれぞれ形成された孔に、隣り合う木製部材の両方に渡るように棒状部材を挿入し、この棒状部材が挿入された孔の中に接着剤又は無収縮モルタルを充填することにより、隣り合う木製部材同士を接合して床スラブを構成する木製部材の接合構造が開示されている。
【０００４】
しかし、この木製部材の接合構造では、隣り合う木製部材の端面にそれぞれ形成された孔に棒状部材を挿入するとともに、棒状部材が挿入された孔の中に接着剤又は無収縮モルタルを充填するといった作業が煩雑となる。
【先行技術文献】
【特許文献】
【０００５】
【特許文献１】特開２００３−１９３５７０号公報
【発明の概要】
【発明が解決しようとする課題】
【０００６】
本発明は係る事実を考慮し、複数敷き並べられて床スラブを構成する木質の床版同士を接合する作業手間を低減することを課題とする。
【課題を解決するための手段】
【０００７】
第１態様の発明は、木質の第１床版の端部上面に形成された第１スリットと、前記第１床版と隣り合う木質の第２床版の端部上面に形成された第２スリットと、前記第１床版の上面と前記第２床版の上面とから上端部を突出させて、前記第１スリットから前記第２スリットへ渡って配置された板状の接合部材と、前記接合部材が配置された前記第１スリットと前記第２スリットとに充填される充填材と、前記第１床版と前記第２床版との上に設けられ、前記接合部材の前記上端部が埋設されたトップコンクリート部と、を有する木質床版の接合構造である。
【０００８】
第１態様の発明では、第１スリットから第２スリットへ渡って板状の接合部材を配置し、接合部材が配置された第１スリットと第２スリットとに充填材を充填するとともに、接合部材の上端部が埋設されるようにして第１床版と第２床版との上にトップコンクリート部を設けることにより、複数敷き並べられて床スラブを構成する木質の床版同士を、木質の床版に生じる面内せん断力の伝達可能に接合することができ、また、木質の床版同士を接合する作業手間を低減することができる。さらに、木質の床版とトップコンクリート部とにより合成床を構成することができる。
【０００９】
第２態様の発明は、第１態様の木質床版の接合構造において、前記接合部材は、パンチングメタルにより構成されている。
【００１０】
第２態様の発明では、接合部材をパンチングメタルにより構成することで、接合部材と、充填材及びトップコンクリート部との一体性を向上させることができる。
【００１１】
第３態様の発明は、第１又は第２態様の木質床版の接合構造において、前記接合部材は、平面視にて前記第１床版の端面及び前記第２床版の端面に対して斜めに配置されている。
【００１２】
第３態様の発明では、木質の床版に生じる面内引張力を、隣り合う木質の床版同士の間で伝達することができる。
【発明の効果】
【００１３】
本発明は上記構成としたので、複数敷き並べられて床スラブを構成する木質の床版同士を接合する作業手間を低減することができる。
【図面の簡単な説明】
【００１４】
【図１】本発明の実施形態に係る木質床版の接合構造を示す平面図である。
【図２】図１のＡ−Ａ断面図である。
【図３】図１のＢ−Ｂ断面図である。
【図４】図２のＣ−Ｃ断面図である。
【図５】図５（ａ）、図５（ｂ）及び図５（ｃ）は、本発明の実施形態に係る接合部材のバリエーションを示す斜視図である。
【図６】本発明の実施形態に係る木質床版の接合構造のバリエーションを示す平面図である。
【図７】本発明の実施形態に係る木質床版の接合構造のバリエーションを示す平面断面図である。
【図８】本発明の実施形態に係る木質床版の接合構造のバリエーションを示す側面断面図である。
【図９】図８のＤ−Ｄ断面図である。
【発明を実施するための形態】
【００１５】
図を参照しながら、本発明の実施形態を説明する。まず、本発明の実施形態に係る木質床版の接合構造について説明する。
【００１６】
図１の平面図、図１のＡ−Ａ断面図である図２に示すように、本実施形態の木質床版の接合構造（以下、「接合構造１０」とする）では、第１床版としての床版１２と、床版１２と隣り合って配置された第２床版としての床版１４との端面同士を接触させた状態で、床版１２と床版１４との端部（外縁部）同士を接合し、床版１２と床版１４との上にトップコンクリート部１６を設けることにより、床スラブ１８を構成している。
【００１７】
図２、図１のＢ−Ｂ断面図である図３、及び図２のＣ−Ｃ断面図である図４に示すように、接合構造１０は、床版１２、第１スリットとしてのスリット２０、床版１４、第２スリットとしてのスリット２２、接合部材２４、充填材２６、及びトップコンクリート部１６を有して構成されている。
【００１８】
床版１２、１４は、ひき板を並べた層を、ひき板の繊維方向が層毎に直交するように重ねて接着したパネル材であるＣＬＴ（Cross Laminated Timber）により形成された木質の床部材である。
【００１９】
図２及び図４に示すように、スリット２０は、平面視にて床版１２の端面に対して略直交するようにして、床版１２の端部上面に形成されている。スリット２０は、床版１２の上面から、床版１２の厚さ方向略中央の位置まで形成されている。スリット２２は、平面視にて床版１４の端面に対して略直交するようにして、床版１４の端部上面に形成されている。スリット２２は、床版１４の上面から、床版１４の厚さ方向略中央の位置まで形成されている。
【００２０】
接合部材２４は、パンチングメタルからなる板状の部材により構成されており、下端部２８がスリット２０とスリット２２とに挿入されて、スリット２０からスリット２２へ渡って配置されている。接合部材２４は、平面視にて床版１２の端面及び床版１４の端面に対して略直交するようにして配置されている。また、接合部材２４の下端部２８がスリット２０からスリット２２へ渡って配置された状態で、接合部材２４の上端部３０は、床版１２の上面と床版１４の上面とから突出している。
【００２１】
トップコンクリート部１６は、床版１２と床版１４との上面にコンクリートを打設し硬化させて床版１２と床版１４との上に設けられた鉄筋コンクリートにより形成され、上部には上端筋３２が埋設されている。また、トップコンクリート部１６には、接合部材２４の上端部３０が埋設されている。なお、上端筋３２は、必要に応じてトップコンクリート部１６に設ければよい。例えば、トップコンクリート部１６のひび割れ防止策を施す必要がない場合には、上端筋３２等の鉄筋をトップコンクリート部１６に設けなくてもよい。また、トップコンクリート部１６に上端筋３２を設けずに、溶接金網などのものをトップコンクリート部１６に埋設してトップコンクリート部１６のひび割れを防ぐようにしてもよい。
【００２２】
充填材２６は、接合部材２４の下端部２８が配置されたスリット２０とスリット２２とに充填し硬化させて、床版１２、１４に接合部材２４の下端部２８を固定している。本例では、トップコンクリート部１６を形成するために打設されたコンクリートの一部を、このコンクリートの打設とともに、接合部材２４の下端部２８が配置されたスリット２０とスリット２２とに充填し硬化させており、この充填したコンクリートを充填材２６としている。
【００２３】
次に、本発明の実施形態に係る木質床版の接合構造の作用と効果について説明する。
【００２４】
本実施形態の接合構造１０では、図１、図２、図３及び図４に示すように、複数敷き並べられて床スラブ１８を構成する木質の床版同士（床版１２と床版１４）を、床版１２又は床版１４に生じる面内せん断力を床版１４又は床版１２へ伝達可能に接合することができる。
【００２５】
また、スリット２０からスリット２２へ渡って板状の接合部材２４を配置し、接合部材２４が配置されたスリット２０とスリット２２とに充填材２６を充填するとともに、接合部材２４の上端部３０が埋設されるようにして床版１２と床版１４との上にトップコンクリート部１６を設けることにより、複数敷き並べられて床スラブ１８を構成する木質の床版同士（床版１２と床版１４）を接合することができるので、木質の床版同士を接合する作業手間を低減することができる。
【００２６】
さらに、木質の床版１２、１４とトップコンクリート部１６とにより合成床を構成することができる。すなわち、床スラブ１８を合成床とすることができる。
【００２７】
また、接合部材２４をパンチングメタルにより構成することで、接合部材２４と、充填材２６及びトップコンクリート部１６との一体性を向上させることができる。
【００２８】
以上、本発明の実施形態について説明した。
【００２９】
なお、本実施形態では、図２及び図４に示すように、第１床版及び第２床版を、ＣＬＴにより形成された木質の床版１２、１４とした例を示したが、第１床版及び第２床版は、木質の床部材であればよい。
【００３０】
例えば、木材を切削加工して形成された単板を、この単板の繊維方向が平行になるように重ねて接着したパネル材であるＬＶＬ（Laminated Veneer Lumber）で、第１床版及び第２床版を構成してもよい。また、例えば、集成材、積層材、又は合板で、第１床版及び第２床版を構成してもよい。
【００３１】
また、本実施形態では、図２、図３及び図４に示すように、トップコンクリート部１６を形成するために打設されたコンクリートの一部を、このコンクリートの打設とともに、接合部材２４の下端部２８が配置されたスリット２０とスリット２２とに充填して、この充填されたコンクリートを充填材２６とした例を示したが、接合部材２４の下端部２８が配置されたスリット２０とスリット２２とに充填される充填材は、床版１２、１４に接合部材２４の下端部２８を固定できるものであればよい。
【００３２】
例えば、床版１２と床版１４との上面にコンクリートを打設する前に、接合部材２４の下端部２８が配置されたスリット２０とスリット２２とに、エポキシ樹脂系接着剤などの接着剤やモルタル等の充填材を充填してもよい。
【００３３】
さらに、本実施形態では、図２に示すように、接合部材２４をパンチングメタルにより構成した例を示したが、接合部材２４は、接合部材２４の下端部２８が配置されたスリット２０とスリット２２とに充填される充填材２６、及びトップコンクリート部１６を形成するコンクリートに対し、高い付着性を発揮して高い一体性が得られる板状の部材であればよい。
【００３４】
例えば、図５（ａ）の斜視図に示すように、鋼板３６の板面に複数のスタッド３８を設けて構成した接合部材３４としてもよいし、図５（ｂ）の斜視図に示すように、波板状の波形鋼板４２により構成した接合部材４０としてもよいし、図５（ｃ）の斜視図に示すように、金網４６により構成した接合部材４４としてもよい。図５（ｂ）に示す接合部材４０のような波板状の部材も、本実施形態の板状の部材に含まれる。また、例えば、接合部材を、メッシュプレート、粗面処理が施された鋼板により構成してもよい。
【００３５】
また、本実施形態では、図４に示すように、平面視にて床版１２の端面及び床版１４の端面に対して略直交するように接合部材２４を配置した例を示したが、図６の平面図、及び図７の平面断面図に示す木質床版の接合構造(以下、「接合構造４８」とする）のように、平面視にて床版１２の端面及び床版１４の端面に対して斜めに接合部材２４を配置してもよい。図７は、接合構造４８において床版１２、１４の上面（水平面）で切った平面断面図である。接合構造４８では、隣り合う床版同士（床版１２と床版１４）の間で、床版１２、１４に生じる面内引張力を伝達することができる。
【００３６】
さらに、本実施形態では、図２に示すように、床版１２と床版１４との端面同士を接触させた状態で、床版１２と床版１４との端部（外縁部）同士を接合した例を示したが、図８の側面断面図、及び図８のＤ−Ｄ断面図である図９に示す木質床版の接合構造（以下、「接合構造５０」とする）としてもよい。
【００３７】
接合構造５０では、Ｈ形鋼からなる梁５２上に、床版１２と床版１４の端面同士を離して床版１２と床版１４を載置し、床版１２の上面から下面へ貫通して形成された第１スリットとしてのスリット５４から、床版１４の上面から下面へ貫通して形成された第２スリットとしてのスリット５６へ渡って、接合部材５８の中間部６０（接合部材２４の上下方向に対する中間部分）と下端部６２を配置している。なお、梁５２は、Ｔ形鋼、Ｃ形鋼等のどのような構造断面を有する部材であってもよい。また、梁５２は、小梁、大梁等の部材であってもよい。
【００３８】
接合部材５８の下端面は、梁５２の上フランジ６６上面に溶接等により接合されている。また、床版１２の端面と床版１４の端面との間には、コンクリートＶが充填されている。床版１２の端面と床版１４の端面との間、及び接合部材５８の下端部６２が配置されたスリット５４とスリット５６とには、トップコンクリート部１６を形成するために打設されたコンクリートの一部が、このコンクリートの打設とともに充填されている。
【００３９】
梁５２の上フランジ６６上面には複数のスタッド６８が設けられており、この複数のスタッド６８が、床版１２の端面と床版１４の端面との間に充填されたコンクリートＶ中に埋設されている。これにより、床版１２の端面と床版１４の端面との間に充填され硬化したコンクリートＶと、梁５２との一体化が図られている。また、接合部材５８の中間部６０及び下端部６２がスリット５４からスリット５６へ渡って配置された状態で、接合部材５８の上端部６４は、床版１２の上面と床版１４の上面とから突出し、トップコンクリート部１６に埋設されている。
【００４０】
他の構成については、図２と略同じなので、同符号を付すとともに説明を省略する。
【００４１】
また、本実施形態では、図２に示すように、トップコンクリート部１６に接合部材２４の上端部３０を埋設した例を示したが、トップコンクリート部１６に設けられた上端筋３２を、接合部材２４に溶接等によって接合してもよい。
【００４２】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００４３】
１０、４８、５０  接合構造（木質床版の接合構造）
１２  床版（第１床版）
１４  床版（第２床版）
１６  トップコンクリート部
２０、５４  スリット（第１スリット）
２２、５６  スリット（第２スリット）
２４、３４、４０、４４、５８  接合部材
２６  充填材
３０、６４  上端部
【図１】
2019015053.tif 000003
【図２】
2019015053.tif 000004
【図３】
2019015053.tif 000005
【図４】
2019015053.tif 000006
【図５】
2019015053.tif 000007
【図６】
2019015053.tif 000008
【図７】
2019015053.tif 000009
【図８】
2019015053.tif 000010
【図９】
2019015053.tif 000011